(57)【要約】【課題】本発明は、振動モータ及びこの振動モータを用いるモバイル通信機器を提供する。【解決手段】ハウジングと、ハウジングに収納される振動子と、振動子が振動するように駆動する駆動装置と、振動子を弾性的に支持する弾性部材とを備え、駆動装置は、ハウジング内に収納される二次コイルであり、振動子には、二次コイルと対応する永久磁石が設置され、モータは、ハウジングの外に設置され且つ二次コイルと対応して間隔をあけて設置される一次コイルをさらに備え、一次コイルは、外界に電気的に接続して交番電磁界を生じることで、二次コイルに誘導起電力を生じさせ、振動子と二次コイルの間に相対振動が発生するように駆動する。新しい電気的接続方式によって、振動モータのハウジング内に回路または電線を設置する必要はなく、構造を簡素化し、省スペース化することができ、且つ、複雑な配線による絡み合い、途切れなどの信頼性に関する問題を回避するので、製品の信頼性を効果的に向上することができる。【選択図】図２
2020022348.tif 000002
【特許請求の範囲】
【請求項１】
ハウジングと、前記ハウジングに収納される振動子と、前記振動子が振動するように駆動する駆動装置と、前記振動子を弾性的に支持する弾性部材とを備える振動モータであって、
前記駆動装置は、前記ハウジング内に収納される二次コイルであり、
前記振動子には、前記二次コイルと対応する永久磁石が設置され、
前記振動モータは、ハウジングの外に設置され且つ前記二次コイルと対応して間隔をあけて設置される一次コイルをさらに備え、
前記一次コイルは、外界に電気的に接続して交番電磁界を生じることで、前記二次コイルに誘導起電力を生じさせ、前記振動子と前記二次コイルの間に相対振動が発生するように駆動することを特徴とする振動モータ。
【請求項２】
前記ハウジングは、天壁、前記天壁に対向して設置される底壁、および前記天壁と前記底壁を接続する側壁を備え、
前記二次コイルは、前記底壁に設置されることを特徴とする請求項１に記載の振動モータ。
【請求項３】
前記振動子は、カウンターウェイトブロックと、前記カウンターウェイトブロックに設置される前記永久磁石と、を備え、
前記カウンターウェイトブロックは、前記天壁と対応する上面と、前記底壁と対応する下面と、前記上面と前記下面を貫通する透過孔とを備え、
前記永久磁石は、前記透過孔内に設置されることを特徴とする請求項２に記載の振動モータ。
【請求項４】
前記透過孔は合計二つあり、二つの前記透過孔は、互いに平行し且つ間隔をあけて設置され、前記透過孔ごとに一つの永久磁石が設置されることを特徴とする請求項３に記載の振動モータ。
【請求項５】
前記弾性部材は、前記振動子の両側にそれぞれに設置されるＣリングであり、前記振動子に連続される第１固定部と、前記側壁に連続される第２固定部と、前記第１固定部と前記第２固定部を接続する接続部と、を備えることを特徴とする請求項２に記載の振動モータ。
【請求項６】
前記ハウジングは、プラスチック製ハウジングであることを特徴とする請求項１〜５のいずれか一項に記載の振動モータ。
【請求項７】
回路基板と、
請求項１〜６のいずれか一項に記載の振動モータとを備え、
前記一次コイルは、前記回路基板に設置されることを特徴とするモバイル通信機器。
【請求項８】
前記モバイル通信機器は、収納空間を有するハウジングと、ハウジング内に収納されるマザーボードと、前記ハウジングに蓋接されるスクリーンとをさらに備え、
前記回路基板は、前記マザーボードに設置されることを特徴とする請求項７に記載のモバイル通信機器。
【請求項９】
前記スクリーンは、表示画面と、前記表示画面に貼り付けられるガラススクリーンと、を備えることを特徴とする請求項８に記載のモバイル通信機器。
【発明の詳細な説明】
【技術分野】
【０００１】
本発明は、振動モータの分野に関し、特に一種の振動モータ及びこの振動モータを用いるモバイル通信機器に関する。
【背景技術】
【０００２】
電子技術の発展に伴い、ポータブル消費者向け電子製品、例えば携帯電話、パームトップゲーム機、ナビゲーション装置又はパームトップマルチメディアエンターテイメントデバイス等はますます人気が高まっており、これらの電子製品は一般的に振動モータを用いてシステムフィードバック、例えば携帯電話の着信番号表示、情報表示、ナビゲーション表示、ゲーム機の振動フィードバック等を行う。このように広く応用されるためには、振動モータの性能に優れ、耐用年数が長いことが要求される。
【０００３】
振動モータは、通常、収容空間を有するハウジングと、収容空間に収納される振動子と、振動子を弾性的に支持する弾性部材と、ハウジング内に設置される電気的接続をするためのフレキシブル基板とを備える。モバイル通信機器に適用される際に、導線によってモバイル通信機器における回路基板に電気的に接続されるが、このような方式の電気的接続は、配線上で不便になり、そして構造が複雑で、比較的大きな空間を占めるため、需要を満たすのが難しいである。
【０００４】
このため、上記問題を解決するために、新規の振動モータを提供する必要がある。
【発明の概要】
【発明が解決しようとする課題】
【０００５】
本発明は、上記問題を解決するためになされたものであり、新しい電気的接続方式を採用して製品の構造を簡素化し、且つ高い信頼性を持つ振動モータ及びこの振動モータを用いるモバイル通信機器を提供する。
【課題を解決するための手段】
【０００６】
上記問題を解決するために、本発明は一種の振動モータを提供し、ハウジングと、前記ハウジングに収納される振動子と、前記振動子が振動するように駆動する駆動装置と、前記振動子を弾性的に支持する弾性部材とを備える振動モータであって、前記駆動装置は、前記ハウジング内に収納される二次コイルであり、前記振動子には、前記二次コイルと対応する永久磁石が設置され、前記振動モータは、ハウジングの外に設置され且つ前記二次コイルと対応して間隔をあけて設置される一次コイルをさらに備え、前記一次コイルは、外界に電気的に接続して交番電磁界を生じることで、前記二次コイルに誘導起電力を生じさせ、前記振動子と前記二次コイルの間に相対振動が発生するように駆動する。
【０００７】
好ましくは、前記ハウジングは、天壁、前記天壁に対向して設置される底壁、および前記天壁と前記底壁を接続する側壁を備え、前記二次コイルは、前記底壁に設置される。
【０００８】
好ましくは、前記振動子は、カウンターウェイトブロックと、前記カウンターウェイトブロックに設置される永久磁石と、を備え、前記カウンターウェイトブロックは、前記天壁と対応する上面と、前記底壁と対応する下面と、前記上面と前記下面を貫通する透過孔とを備え、前記永久磁石は、前記透過孔内に設置される。
【０００９】
好ましくは、前記透過孔は合計二つあり、二つの前記透過孔は、互いに平行し且つ間隔をあけて設置され、前記透過孔ごとに一つの永久磁石が設置される。
【００１０】
好ましくは、前記弾性部材は、前記振動子の両側にそれぞれに設置されるＣリングであり、前記振動子に連続される第１固定部と、前記側壁に連続される第２固定部と、前記第１固定部と前記第２固定部を接続する接続部とを備える。
【００１１】
好ましくは、前記ハウジングは、プラスチック製ハウジングである。
【００１２】
上記問題を解決するために、本発明は、更に一種のモバイル通信機器を提供し、回路基板と、上記の振動モータとを備え、前記一次コイルが前記回路基板に設置されるモバイル通信機器である。
【００１３】
好ましくは、前記モバイル通信機器は、収納空間を有するハウジングと、ハウジング内に収納されるマザーボードと、前記ハウジングに蓋接されるスクリーンとをさらに備え、前記回路基板は、前記マザーボードに設置される。
【００１４】
好ましくは、前記スクリーンは、表示画面と、前記表示画面に貼り付けられるガラススクリーンとを備える。
【発明の効果】
【００１５】
本発明の振動モータにおいて、ハウジングと、前記ハウジングに収納される振動子と、前記振動子が振動するように駆動する駆動装置と、前記振動子を弾性的に支持する弾性部材とを備え、前記駆動装置は、前記ハウジング内に収納される二次コイルであり、前記振動子には、前記二次コイルと対応する永久磁石が設置され、前記振動モータは、ハウジングの外に設置され且つ前記二次コイルと対応する一次コイルをさらに備え、前記一次コイルは、外界に電気的に接続して交番電磁界を生じることで、前記二次コイルに誘導起電力を生じさせて、前記振動子と前記二次コイルの間に、振動子が振動するように駆動するロレンツ力を生じさせる。新しい電気的接続方式によって、振動モータのハウジング内に回路または電線を設置する必要はなく、構造を簡素化し、省スペース化することができ、且つ、複雑な配線による絡み合い、途切れなどの信頼性に関する問題を回避するので、製品の信頼性を効果的に向上することができる。
【図面の簡単な説明】
【００１６】
【図１】本発明に係るモバイル通信機器の構造を示す分解図である。
【図２】図１に示すＡ部の拡大図である。
【図３】本発明に係る振動モータとフレキシブル基板との組立構造を示す図である。
【図４】本発明に係る振動モータの構造を示す分解図である。
【発明を実施するための形態】
【００１７】
以下、図面を参照しながら本発明を更に説明する。
【００１８】
図１及び図２に示すように、本発明に係るモバイル通信機器は、ハウジング３００と、マザーボード４００と、振動モータ１００と、スクリーンとを備える。
【００１９】
スクリーンは、表示画面５００と、表示画面５００に貼り付けられるガラススクリーン６００とを備え、スクリーンは、ハウジング３００に蓋接され且つハウジング３００と共に収納空間を形成する。
【００２０】
マザーボード４００には、制御モジュール、機能モジュール、及び回路基板２００が設けられ、振動モータ１００は、回路基板２００に対向して設置される。
【００２１】
図２及び図３に示すように、回路基板２００には、一次コイル２０１及び一次コイル２０１に接続される信号入力端子２０２が設けられ、信号入力端子２０２は、モバイル通信機器における制御モジュールまたは機能モジュールと接続して信号の入力を実現するために用いられる。
【００２２】
図４に示すように、本発明に係る振動モータ１００は、ハウジング１と、ハウジング１内に収納される振動子２と、振動子２を弾性的に支持する弾性部材３と、振動子２が振動方向に沿って振動するように駆動する駆動装置とを備える。
【００２３】
ハウジング１は、長尺形の構造を有し、天壁１１１、天壁１１１と対向する底壁１２１、および天壁１１１と底壁１２１を接続する側壁１１２を備える。具体的には、本実施形態において、ハウジング１は、天壁１１１と側壁１１２を有するカバープレート１１と、カバープレート１１に蓋接され且つカバープレート１１と共に収容空間を形成する、底壁１２１とする底板１２とを備える。そのうち、ハウジング１はプラスチック製ハウジングである。
【００２４】
駆動装置は、ハウジング１の底壁１２１に固定される二次コイル４である。底板１２は、非磁伝導性材料を用いて製造される。振動モータ１００における底板１２は、回路基板２００に対向して設置され、具体的には、二次コイル４が回路基板２００における一次コイル２０１に対向し且つ間隔をあけて設置されることである。
【００２５】
弾性部材３は、一端が振動子２に接続され、他端がハウジング１の側壁１１２に接続される。
【００２６】
振動子２は、二次コイル４と対応する永久磁石２２を備える。一次コイル２０１は、信号入力端子２０２を介して外界に電気的に接続して交番電磁界を生じることで、二次コイル４に誘導起電力を生じさせて交番磁界を形成し、これにより、振動子２の永久磁石２２の間に、振動子が底壁１２１に平行する方向に沿って振動するように駆動するロレンツ力を生じさせて、振動子と二次コイル４を相対運動させる。一次コイル２０１と二次コイル４の間の相互誘導があるため、ハウジング内に導線または回路基板を別途設置する必要はなく、製品の構造を簡素化し、従来の構造における、導線の絡み合いによる製品の信頼性に影響を与えてしまう問題も回避する。
【００２７】
振動子２は、カウンターウェイトブロック２１と、カウンターウェイトブロック２１に設置される永久磁石２２と、を備える。具体的には、本実施形態において、カウンターウェイトブロック２１は、天壁１１１と対応する上面２１１と、底壁１２１と対応する下面と、上面２１１と下面を貫通する、内壁によって取り囲まれた透過孔２１０とを備え、永久磁石２２は、透過孔２１０内に設置される。本実施形態において、透過孔２１０は合計二つあり、互いに間隔をあけてカウンターウェイトブロック２１に設置され、永久磁石２２は合計二つあり、それぞれ二つの透過孔２１０内に設置される。
【００２８】
弾性部材３は、開口方向が対向して設置される二つのＣリングである。具体的には、弾性部材３は、振動子２のカウンターウェイトブロック２１に連続される第１固定部３１と、側壁１１２に連続される第２固定部３２と、第１固定部３１と第２固定部３２を接続する接続部３３とを備える。
【００２９】
本発明の振動モータにおいて、ハウジングと、前記ハウジングに収納される振動子と、前記振動子が振動するように駆動する駆動装置と、前記振動子を弾性的に支持する弾性部材とを備え、前記駆動装置は、前記ハウジング内に収納される二次コイルであり、前記振動子には、前記二次コイルと対応する永久磁石が設置され、前記振動モータは、ハウジングの外に設置され且つ前記二次コイルと対応する一次コイルをさらに備え、前記一次コイルは、外界に電気的に接続して交番電磁界を生じることで、前記二次コイルに誘導起電力を生じさせて、前記振動子と前記二次コイルの間に、振動子が振動するように駆動するロレンツ力を生じさせる。新しい電気的接続方式によって、振動モータのハウジング内に回路または電線を設置する必要はなく、構造を簡素化し、省スペース化することができ、且つ、複雑な配線による絡み合い、途切れなどの信頼性に関する問題を回避するので、製品の信頼性を効果的に向上することができる。
【００３０】
上記のように本発明の実施例を説明したが、上記の実施例は例示的なものに過ぎなく、本発明を制限するためのものではなく、当業者は、本発明の主旨から逸脱しない範囲で上記実施例に対して変更、修正、差換えおよび変形を行うことができる。
【図１】
2020022348.tif 000003
【図２】
2020022348.tif 000004
【図３】
2020022348.tif 000005
【図４】
2020022348.tif 000006
【手続補正書】
【提出日】令和1年12月22日(2019.12.22)
【手続補正１】
【補正対象書類名】特許請求の範囲
【補正対象項目名】全文
【補正方法】変更
【補正の内容】
【特許請求の範囲】
【請求項１】
ハウジングと、前記ハウジングに収納される振動子と、前記振動子が振動するように駆動する駆動装置と、前記振動子を弾性的に支持する弾性部材とを備える振動モータであって、
前記駆動装置は、前記ハウジング内に収納される二次コイルであり、
前記振動子には、前記二次コイルと対応する永久磁石が設置され、
前記振動モータは、ハウジングの外に設置され且つ前記二次コイルと対応して間隔をあけて設置される一次コイルをさらに備え、
前記一次コイルは、外界に電気的に接続して交番電磁界を生じることで、前記二次コイルに誘導起電力を生じさせ、前記振動子と前記二次コイルの間に相対振動が発生するように駆動し、
前記ハウジングは、天壁、前記天壁に対向して設置される底壁、および前記天壁と前記底壁を接続する側壁を備え、
前記二次コイルは、前記底壁に設置され、
前記底壁が前記一次コイルと前記二次コイルの間に設置されることを特徴とする振動モータ。
【請求項２】
前記底壁には、非磁伝導性材料が用いられていることを特徴とする請求項１に記載の振動モータ。
【請求項３】
前記振動子は、カウンターウェイトブロックと、前記カウンターウェイトブロックに設置される前記永久磁石と、を備え、
前記カウンターウェイトブロックは、前記天壁と対応する上面と、前記底壁と対応する下面と、前記上面と前記下面を貫通する透過孔とを備え、
前記永久磁石は、前記透過孔内に設置されることを特徴とする請求項１に記載の振動モータ。
【請求項４】
前記透過孔は合計二つあり、二つの前記透過孔は、互いに平行し且つ間隔をあけて設置され、前記透過孔ごとに一つの永久磁石が設置されることを特徴とする請求項３に記載の振動モータ。
【請求項５】
前記弾性部材は、前記振動子の両側にそれぞれに設置されるＣリングであり、前記振動子に連続される第１固定部と、前記側壁に連続される第２固定部と、前記第１固定部と前記第２固定部を接続する接続部と、を備えることを特徴とする請求項１に記載の振動モータ。
【請求項６】
前記ハウジングは、プラスチック製ハウジングであることを特徴とする請求項１〜５のいずれか一項に記載の振動モータ。
【請求項７】
回路基板と、
請求項１〜６のいずれか一項に記載の振動モータとを備え、
前記一次コイルは、前記回路基板に設置されることを特徴とするモバイル通信機器。
【請求項８】
前記モバイル通信機器は、収納空間を有するハウジングと、ハウジング内に収納されるマザーボードと、前記ハウジングに蓋接されるスクリーンとをさらに備え、
前記回路基板は、前記マザーボードに設置されることを特徴とする請求項７に記載のモバイル通信機器。
【請求項９】
前記スクリーンは、表示画面と、前記表示画面に貼り付けられるガラススクリーンと、を備えることを特徴とする請求項８に記載のモバイル通信機器。